(57)【特許請求の範囲】
【請求項１】
電子撥弦楽器の楽音出力端子にケーブルを接続するために、前記ケーブルの末端に取り付けて使用される電子撥弦楽器用プラグと、
ケーブルと
を備える電子撥弦楽器用プラグ付きケーブルであって、前記電子撥弦楽器用プラグは、
前記楽音出力端子を形成する楽器側ジャックに係合する形状をなすプラグ本体と、
軸線方向両端が開放する円筒状をなし、前記プラグ本体の後端側に一体化されるとともに、後端側開口から内側に前記ケーブルの先端部が前記軸線方向に挿入される取付スリーブと、
前記取付スリーブの周壁部に対し該周壁部を半径方向に貫通しつつ先端が前記ケーブルの絶縁外皮に当接する形でねじ込まれ、該ねじ込みの螺進圧縮力により前記ケーブルを前記周壁部との間で挟持する形で保持するセットスクリューとを備え、
前記取付スリーブの内周面に、前記ケーブルを介して前記セットスクリューの前記螺進圧縮力を受け止めつつ前記絶縁外皮に食い込む食込凸部が、前記内周面の周方向に沿って一体不可分に形成されており、
前記ケーブルは、前記電子撥弦楽器用プラグの前記取付スリーブに挿入及び固定され、前記ケーブルは前記絶縁外皮の内側にシールド導体層を有し、該シールド導体層の内側に中間絶縁層を介して芯線が配置された同軸シールドケーブルであり、前記セットスクリューは前記絶縁外皮を貫通して前記シールド導体層と電気的に導通接触してなり、前記食込凸部は前記ケーブルを介して前記セットスクリューの前記螺進圧縮力を受け止めつつ前記絶縁外皮に食い込んでなり、
前記プラグ本体は、前記ケーブルの芯線と導通結合される棒状の主金具と、前記主金具の外側にプラグ側絶縁層を介して配置される接地金具とを備え、前記取付スリーブは前記接地金具の後端側に連結導体を介して一体結合されてなり、
前記ケーブルの前記シールド導体層が前記連結導体に半田付け接合されている、
電子撥弦楽器用プラグ付きケーブル。
【発明の詳細な説明】
【技術分野】
【０００１】
この発明はエレキギター等の電子撥弦楽器に使用されるプラグと、そのプラグが取り付けられたケーブルに関する。
【背景技術】
【０００２】
エレキギターやエレキベースなどの電子撥弦楽器は、弦が振動して生ずる演奏音の波形信号を楽器本体に埋設されたピックアップにより検出するとともに、楽器本体から引き出されるケーブルにより該波形信号をアンプに送って増幅し、該アンプに接続されたスピーカーから増幅された演奏音を出力する。ケーブルとアンプとの接続は、一般的な電子撥弦楽器の場合、ケーブル末端に設けられたプラグを楽器本体に設けられたジャックに差し込む形で成される。このようなプラグの多くは、後端側にケーブル取付け用のスリーブ（筒状部）を有し、ここにケーブルの先端を差し込む形で半田付けにより電気的な接続がなされ、さらにスリーブに対し外側から半径方向内向きにセットスクリューをねじ込んでケーブルを固定するようにしている（例えば、特許文献１）。
【先行技術文献】
【特許文献】
【０００３】
【特許文献１】登録実用新案第３１５４６７６号公報
【発明の概要】
【発明が解決しようとする課題】
【０００４】
ところで、上記のような電子撥弦楽器は、鍵盤楽器等と異なり、演奏者が手で抱きかかえて弾奏されることが多く、特にロックやポップスなどの演奏に際しては、演奏者が楽器を激しく振り回すこともある。その結果、ケーブルを楽器に接続するプラグには外力的な負荷が恒常的にかかりやすい背景がある。特にケーブルに対して引張り力が繰り返し作用すると、セットスクリューの挟持力に抗してケーブルがスリーブ内面に対し軸線方向に滑り変位し、セットスクリューの緩みが生じやすい問題がある。セットスクリューの緩みが大きくなると、ケーブルをスリーブに固定する力が失われ、半田付け部が破断してケーブルがプラグから抜け落ちてしまうことにもつながる。
【０００５】
特許文献１においては、スリーブにねじ込むセットスクリューの数を２以上とすることで、ケーブルの固定緩みを抑制する提案がなされている。しかし、ケーブルの絶縁外皮と当接するスリーブ内周面は平坦であり、引張り力が加わったときにケーブルがスリーブ内面に対して滑り変位しやすい構造であることに何ら変わりはなく、瞬時的な引張力が繰り返し加わったり、より強い引張り力が加わったりした場合には、同様の問題を生じうる。
【０００６】
本発明の課題は、プラグ側のスリーブにケーブルを差し込んでセットスクリューにより固定する構造を有するとともに、より大きな引張り力が作用した場合においても、ケーブルがスリーブに対し滑り変位を起こしにくい構造の電子撥弦楽器用プラグと、そのプラグが取り付けられたケーブルとを提供することにある。
【課題を解決するための手段】
【０００７】
本発明は、電子撥弦楽器の楽音出力端子にケーブルを接続するためにケーブルの末端に取り付けて使用される電子撥弦楽器用プラグ及び電子撥弦楽器用プラグ付きケーブルに関するものであり、上記課題を解決するために、楽音出力端子を形成する楽器側ジャックに係合する形状をなすプラグ本体と、軸線方向両端が開放する円筒状をなし、プラグ本体の後端側に一体化されるとともに、後端側開口から内側にケーブルの先端部が軸線方向に挿入される取付スリーブと、取付スリーブの周壁部に対し該周壁部を半径方向に貫通しつつ先端がケーブルの絶縁外皮に当接する形でねじ込まれ、該ねじ込みの螺進圧縮力によりケーブルを周壁部との間で挟持する形で保持するセットスクリューとを備え、取付スリーブの内周面に、ケーブルを介してセットスクリューの螺進圧縮力を受け止めつつ絶縁外皮に食い込む食込凸部が、前記内周面の周方向に沿って一体不可分に形成されていることを特徴とする。
【０００８】
また、本発明の電子撥弦楽器用プラグ付きケーブルは、上記本発明の電子撥弦楽器用プラグと、該電子撥弦楽器用プラグの取付スリーブに挿入及び固定されたケーブルとを備えたことを特徴とする。
【０００９】
上記本発明においては、プラグ側の取付スリーブの内周面に、ケーブルを介してセットスクリューの螺進圧縮力を受け止めつつ絶縁外皮に食い込む食込凸部を周方向に沿って一体不可分に形成した。つまり、プラグ側の取付スリーブの内周面は、セットスクリューの螺進圧縮力を受け止める位置にて特許文献１のごとく平坦ではなく、当該内周面に形成された食込凸部が絶縁外皮に食い込むようになっている。これにより、ケーブルに対し、より強い引張り力が加わったり、あるいは引張り力が繰り返し加わったりした場合も、取付スリーブ内面に対するケーブルの滑り変位が食込凸部により阻止されるので、セットスクリューの緩みを効果的に抑制することができる。
【００１０】
ケーブルは、絶縁外皮の内側にシールド導体層を有し、該シールド導体層の内側に中間絶縁層を介して芯線が配置された同軸シールドケーブルとすることができる。この場合、セットスクリューは絶縁外皮を貫通してシールド導体層と電気的に導通接触した構造とすることができる。前述のごとく、食込凸部はケーブルを介してセットスクリューの螺進圧縮力を受け止めつつ絶縁外皮に食い込む。プラグ本体は、ケーブルの芯線と導通結合される棒状の主金具と、主金具の外側にプラグ側絶縁層を介して配置される接地金具とを備え、取付スリーブは接地金具の後端側に連結導体を介して一体結合することができる。この場合、ケーブルのシールド導体層は連結導体に半田付け接合することができる。特許文献１においては、同軸シールドケーブルのシールド導体層と接地金具との導通は、絶縁外皮を貫通するセットスクリューとシールド導体層との機械的な接触のみで形成されており、セットスクリューに緩みが生じた場合、接地金具とシールド導体層との導通状態が直ちに悪化する。その結果、楽音信号が流れる芯線へのシールド導体層による静電遮蔽効果が不十分となり、楽音信号へのノイズ混入の原因となる。
【００１１】
しかし、上記のように、セットスクリューとシールド導体層とを導通接触させる構造に加え、さらにシールド導体層をプラグ側の連結導体に半田付け接合する構造を採用することで、仮にセットスクリューが緩んでもシールド導体層の接地導通は接地金具側の連結導体への半田付け接合により十分に確保され、上記の問題を生じにくくすることができる。そして、本発明の場合、プラグ側の取付スリーブに形成された食込凸部がケーブルの絶縁外皮に食い込むことで、ケーブルへの引っ張り力が繰り返し加わっても、セットスクリューが本質的に緩みにくく、シールド導体層と接地金具との導通状態を長期にわたって極めて良好に維持することができる。
【００１２】
次に、ケーブルに強い捩りモーメントが作用する場合、ケーブルの絶縁外皮がスリーブ周方向に沿って滑り変位して、セットスクリューの緩みが生じやすくなることがあり得る。そこで、食込凸部が絶縁外皮に食い込んだ状態にて周方向に相対的に滑り変位することを阻止するための滑り変位阻止部を、取付スリーブの内周面に形成しておくことで、上記の不具合を効果的に防止ないし抑制することができる。滑り変位阻止部は、取付スリーブの内周面を周方向にて一部切欠いて形成されることができる。この構成では、滑り変位阻止部にケーブルの絶縁外皮が半径方向外向きに圧入されて絶縁外皮圧入部が形成される。その結果、取付スリーブに対するケーブルの周方向の相対滑り変位を効果的に阻止することができる。
【発明の効果】
【００１３】
本発明の作用及び効果の詳細については、「課題を解決するための手段」の欄にすでに記載したので、ここでは繰り返さない。
【図面の簡単な説明】
【００１４】
【図１】本発明の一実施形態にかかる電子撥弦楽器用プラグ付きケーブルにより、エレキギターをアンプに接続した状態を示す図。
【図２】電子撥弦楽器用プラグ付きケーブルにプラグカバーを取り付ける様子を示す図。
【図３】本発明の一実施形態にかかる電子撥弦楽器用プラグを前方側から俯瞰した状態を示す斜視図。
【図４】同じく後方側から俯瞰した状態を示す斜視図。
【図５】図３の電子撥弦楽器用プラグの詳細構造を示す平面図、底面図及び正面図。
【図６】同じく側面図。
【図７】図５のＡ−Ａ側面断面図
【図８】図６のＢ−Ｂ断面図。
【図９】同軸シールドケーブルの構造の一例を示す説明図。
【図１０】図３の電子撥弦楽器用プラグに図９の同軸シールドケーブルを取り付けた状態を示す平面図。
【図１１】図１０の要部を拡大して示す正面断面図及び側面断面図。
【図１２】凸条部及び切欠凹部の作用を示す拡大正面断面図。
【図１３】凸条部及び切欠凹部の作用を示す拡大側面断面図。
【図１４】図１１のＤ−Ｄ断面における作用説明図。
【図１５】図３の電子撥弦楽器用プラグに図９の同軸シールドケーブルを取り付ける工程の説明図
【図１６】図１５に続く説明図。
【図１７】凸条部の第一変形例を示す断面図。
【図１８】凸条部の第二変形例を示す断面図。
【図１９】凸条部の第三変形例を作用とともに示す断面図。
【図２０】食込凸部の第一変形例を示す説明図。
【図２１】食込凸部の第二変形例を示す断面図。
【図２２】切欠凹部の変形例を作用とともに示す説明図。
【図２３】セットスクリューを複数設けたプラグの要部を示す正面断面図。
【図２４】切欠凹部を省略したプラグの要部を作用とともに示す正面断面図。
【図２５】切欠凹部を省略したプラグの別例の要部を示す正面断面図。
【図２６】凸条部の第四変形例を示す断面図。
【図２７】凸条部の第五変形例を示す断面図。
【図２８】参考例のプラグの要部を示す側面断面図。
【発明を実施するための形態】
【００１５】
図１は、本発明の一実施形態にかかる電子撥弦楽器用プラグ付きケーブル２００により、電子撥弦楽器であるエレキギター１００をアンプに接続した状態を示すものである。電子撥弦楽器用プラグ付きケーブル２００は、ケーブル５０と、その一端に取り付けられた電子撥弦楽器用プラグ１（以下、単に「プラグ１」とも記載する）とを有する。図１において、エレキギター１００の胴部おもて面下部（側面下部のこともある）には楽音出力端子を形成する楽器側ジャック１０１が形成され、プラグ１を楽器側ジャック１０１に挿入することによりケーブル５０が接続される。ケーブル５０の他端側にはコネクタ１１１が形成され、アンプ１１０側の端子に接続される。なお、適用対象となる電子撥弦楽器はエレキギターに限らず、エレキベースやエレキ三味線など、他種の撥弦楽器であってもよい。
【００１６】
図２に示すように、プラグ１は、プラグ本体２の後部を含む接地金具４を有し、その外周面に雄ねじ部１３とストッパフランジ１２とが形成されている。ケーブル５０とプラグ１との接続部分は筒状のプラグカバー３０により覆われている。該プラグカバー３０は、前端部内周面に形成された雌ねじ部３１をプラグ１側の雄ねじ部１３に螺合させることにより、前端縁がストッパフランジ１２に当て止めされる形でプラグ１に固定される。
【００１７】
プラグ本体２は、例えばＪＩＳ：Ｃ６５６０（１９９４）に規定された形状の周知のフォーンプラグとして形成され、楽器側ジャック１０１に係合する形状を有する。プラグ本体２の後端側には、軸線方向両端が開放する円筒状をなす取付スリーブ１６が一体化されている。取付スリーブ１６の内側には、後端側開口からケーブル５０の先端部が軸線方向に挿入され、セットスクリュー１７により固定されている。セットスクリュー１７は、取付スリーブ１６の周壁部に対し該周壁部を半径方向に貫通しつつ先端面がケーブル５０の絶縁外皮５１に当接する形でねじ込まれ、該ねじ込みの螺進圧縮力によりケーブル５０を周壁部との間で挟持する形で保持する。
【００１８】
図９は、ケーブル５０の構造の一例を示すものである。ケーブル５０は、絶縁外皮５１の内側にシールド導体層５２，５３を有し、該シールド導体層５２，５３の内側に中間絶縁層５４を介して芯線５５が配置された同軸シールドケーブルとして構成されている。本実施形態において、シールド導体層５２，５３は第一層５２と第二層５３とからなり、いずれも中間絶縁層５４の外側に導線を密接形態で巻きまわした巻線部として形成されている。第一層５２と第二層５３とは、導線の巻きまわし方向が互いに逆とされ、楽音信号電流が流れる芯線５５への静電遮蔽効果が高められている。
【００１９】
以下、プラグ１の構造の詳細について図３〜図８により、さらに詳細に説明する。図３はプラグ１を軸線方向前方側から俯瞰した場合の斜視図であり、図４はプラグ１を軸線方向後方側から俯瞰した場合の斜視図である。図５はプラグ１の詳細構造を示す平面図、底面図及び正面図、図６は同じく側面図である。さらに、図７は、図５のＡ−Ａ断面によるプラグ１の側面断面図であり、図８は、図６のＢ−Ｂ断面図である。
【００２０】
図７の断面図に示す如く、プラグ本体２は、棒状の主金具３と、主金具３の外側にプラグ側絶縁層５を介して配置される接地金具４とを備える。主金具３の先端部３ｔは、その側面に楽器側ジャックとの係合凹部３ｃを有するとともに、軸線Ｏ方向にて該係合凹部３ｃの後方にはフランジ部３ｆが一体形成されている。他方、接地金具４は筒状に形成され、その前端側開口から軸線Ｏ方向に主金具３が、筒状のプラグ側絶縁層５を挟み込む形で後端から挿入されている。主金具３のフランジ部３ｆの後端面と、接地金具４の前端面との間には、筒状のプラグ側絶縁層５の先端部に形成された絶縁フランジ５ｆが挟み込まれている。プラグ側絶縁層５は、例えばポリアセタール樹脂等の自己潤滑性を有する樹脂の射出成型体として形成されている。
【００２１】
接地金具４には、プラグ本体２よりも径大のステム部４ｓが形成され、該ステム部４ｓの外周面の前端部に前述のストッパフランジ１２が形成され、後端部に雄ねじ部１３が形成されている。また、ステム部４ｓの後端面には座ぐり部４ｃが形成され、内側に挿入された主金具３の後端部がプラグ側絶縁層５とともに該座ぐり部４ｃ内に突出するとともに、該座ぐり部４ｃにはめ込まれた絶縁リング６（例えばベークライト等の耐熱樹脂製である）により固定されている。また、主金具３の後端部は絶縁リング６から後方側に突出し、その外側にリング状の端子金具１０が導通形態にはめ込まれている（図４も参照）。端子金具１０の後端面には半筒状の半田受け部１０ａが突出形態にて一体化されている。また、主金具３の後端面には芯線挿入孔３ｂが開口形成されている。
【００２２】
また、図３及び図４に示すように、ステム部４ｓの後端面には連結導体１４を介して円筒状の取付スリーブ１６が一体結合されている。連結導体１４はプラグ１の軸線Ｏに関して片側が開放した半筒状の形状をなし、図５に示すように、後端側（取付スリーブ１６が結合される側）にて外側面両側が平坦に切り欠かれることにより、１対の半田付け面１５，１５が形成されている（図３及び図４も参照）。
【００２３】
図１０は、プラグ１にケーブル５０を取り付けた状態を示す平面図であり、図１１はその要部を示す側面断面図である。図９右に示すように、ケーブル５０の先端側は、シールド導体層５２，５３が露出するように絶縁外皮５１がストリッピングされ、さらに中間絶縁層５４の先端部も同様にストリッピングされて芯線５５が露出している。図１１に示すように、端子金具１０の後端面の芯線挿入孔３ｂに芯線５５が挿入され、中間絶縁層５４の先端面と端子金具１０の後端面との間の隙間に溶融半田を流し込むことにより、芯線５５と端子金具１０とを導通結合する半田付け部５６が形成されている。該半田付けは、連結導体１４の開口側が上となるようにプラグ１を水平に置いた状態で実施され、半田受け部１０ａは溶融半田の落下を防ぐとともに、半田付け面積を増大させる役割も担う。一方、図１０に示すように、露出したシールド導体層５２，５３は第一層５２と第二層５３の各巻き線の先端部が左右に振り分ける形で引き出され、それぞれ対応する側の半田付け面１５，１５に対し半田付け部５７，５８により結合されている。
【００２４】
主金具３及び接地金具４の材質は金属であり、具体的には真鍮、リン青銅あるいはベリリウム銅などの銅合金にて構成され、表面には腐食防止あるいは導電性向上のためのメッキが施されている。メッキ層は、具体的には、ニッケルメッキ層、クロムメッキ層などであり、電気導電性のさらなる向上のため最表層部に金メッキを施すこともできる。接地金具４は、ステム部４ｓ、連結導体１４及び取付スリーブ１６が、金属棒材の切削加工により一体的に形成される。セットスクリュー１７の緩みを防止するためには取付スリーブ１６の剛性は高い方がよく、この観点にて接地金具４は、引張強度の高いリン青銅あるいはベリリウム銅にて構成することが望ましい。ベリリウム銅は特に高強度であり、セットスクリュー１７の緩み防止の観点においてより有利であるが、析出硬化型合金であるため、溶体化処理材の状態で切削加工を行なったのち析出強化熱処理を行なうことにより、必要な剛性を確保することができる。
【００２５】
次に、図７及び図１０（図３及び図４も参照）に示すように、接地金具４において、連結導体１４の後端側に結合された円筒状の取付スリーブ１６には、その周壁部を半径方向に貫通する雌ネジ孔２０が形成され、該雌ねじ孔２０にはセットスクリュー１７がねじ込まれている。
【００２６】
図１１に示すように、セットスクリュー１７は、脚部先端側が取付スリーブ１６の内側に突出するとともに、そのねじ込みの螺進圧縮力によりケーブル５０を取付スリーブ１６の周壁部との間で挟持しつつ保持する。本実施形態において、セットスクリュー１７はイモねじとして構成され、ケーブル５０と当接している側の端面には凹部１７ａが、同じく反対側の端面には六角レンチ等の工具を係合させるための工具係合孔１７ｂが形成されている。
【００２７】
本実施形態にて、セットスクリュー１７は１本のみであり、図１１のＥ−Ｅ断面に示す如く、ケーブル５０は、セットスクリュー１７との当接位置に凹部５１ｃを生じる形で、略ハート形をなす断面形態に圧縮変形しつつ取付スリーブ１６内に保持されている。具体的には、セットスクリュー１７の先端は絶縁外皮５１を貫通し、シールド導体層５２と電気的に導通接触している。この接触は半田付けを介するものではなく、機械的に形成されるものである。他方、セットスクリュー１７の先端の食い込みは中間絶縁層５４には及んでおらず、芯線５５とシールド導体層５２，５３との絶縁は確保されている。
【００２８】
また、ケーブル５０の絶縁外皮５１は、セットスクリュー１７の凹部１７ａ内にも一部が食い込んでいる。なお、セットスクリュー１７の先端形状はこれに限らず、例えば円錐状（あるいは、その先端側をアール状ないし平坦にオフセットした形態）であってもよい。また、セットスクリュー１７の材質は例えばステンレス鋼である。
【００２９】
また、セットスクリュー１７が当接しているのと反対側にて、取付スリーブ１６の内周面のケーブル５０が接触している領域には、該内周面の周方向に沿う食込凸部１８が一体不可分に形成されている。該食込凸部１８は、ケーブル５０を介してセットスクリュー１７の螺進圧縮力を受け止めるとともに、その一部を絶縁外皮５１に食い込ませている。
【００３０】
このように、プラグ側の取付スリーブ１６の内周面は、セットスクリュー１７の螺進圧縮力を受け止める位置にて特許文献１のごとく平坦ではなく、当該内周面に形成された食込凸部１８が絶縁外皮５１に食い込むようになっている。これにより、ケーブル５０に対し、より強い引張り力が加わった場合も、ケーブル５０の取付スリーブ１６の内面に対する滑り変位が食込凸部１８により阻止され、セットスクリュー１７の緩みを効果的に抑制することができる。
【００３１】
なお、図１０に示すように、ケーブル５０のシールド導体層５２，５３は、連結導体１４に半田付け部５７，５８により導通結合されている。セットスクリュー１７とシールド導体層５２とを導通接触させる構造に加え、さらにシールド導体層５２，５３をプラグ側の連結導体１４に半田付け接合する構造を付け加えることで、仮にセットスクリュー１７が緩んでもシールド導体層５２の接地導通は接地金具４への半田付け接合により十分に確保され、楽音信号が流れる芯線５５へのシールド導体層５２，５３による静電遮蔽効果が損なわれる問題を生じにくくすることができる。なお、この効果は、本発明の構成を採用しない態様、例えば図２８に示す参考例のごとく、取付スリーブ１６の内面に食込凸部を形成しない態様においても同様に発揮される。しかし、本発明の構成を採用することで、セットスクリュー１７の緩みが本質的に生じにくくなることから、シールド導体層５２と接地金具４との導通状態は、さらに長期にわたって良好に維持できる。
【００３２】
食込凸部１８は、絶縁外皮５１に食い込みつつ該絶縁外皮５１を介してシールド導体層５２，５３とは電気的に絶縁されている。絶縁外皮５１の材質は例えば塩化ビニルなどの絶縁性樹脂であり、食込凸部１８と絶縁外皮５１との間に作用する摩擦力は、ケーブル５０の取付スリーブ１６の内面に対する軸線方向の滑り変位だけでなく、周方向の滑り変位も抑制する働きがある。例えば、食込凸部１８が後述の凸条部形態に形成される場合、凸条部が絶縁外皮５１を貫いてシールド導体層５２，５３と接触する構造になっていると、凸条部とシールド導体層５２，５３とは金属同士の接触となり摩擦抵抗が小さくなる。その結果、ケーブル５０に捩りモーメントが作用したとき、凸条部に対する周方向の滑り変位が生じやすくなることがある。しかし、上記のように、凸条部の食い込みが絶縁外皮５１の内部に留まっている場合、両者は金属−樹脂接触となり摩擦抵抗が大きくなるので、ケーブル５０の凸条部に対する周方向の滑り変位がより生じにくくなる利点がある。
【００３３】
プラグ１の各部の寸法は特に限定されるものではないが、例えば全長が６０ｍｍであり、プラグ本体２は、外径が６．３ｍｍ、軸線方向長さが３０．５ｍｍである。取付スリーブ１６の内径は使用するケーブル５０の外径に応じて変動しうるが、例えば１０ｍｍ以上１５ｍｍ以下の範囲で設定され（本実施形態では、例えば１０．５ｍｍ），その側壁部の厚さは１ｍｍ〜２ｍｍ（本実施形態では１．４ｍｍ）に設定される。
【００３４】
ここで、取付スリーブ１６の内径に対し外径のやや小さいケーブル５０を用いたい場合は、図１１に示すように、取付スリーブ１６の内周面からのセットスクリュー１７の突出長ｊは、該取付スリーブ１６の周壁部の厚みｋよりも大きくなることが多い。このような構造の場合、取付スリーブ１６に対するケーブル５０の滑り変位が生じると、セットスクリュー１７のスリーブ内周面からの突出基端位置に作用する力のモーメントが大きくなり、緩みの原因となるセットスクリュー１７の倒れが特に生じやすくなる。よって、ケーブル５０の滑り変位防止に寄与する上記本発明の効果が特に顕著に発揮される。
【００３５】
また、セットスクリュー１７は、公称ねじ径ｑがスリーブの周壁部の厚みｋよりも大きく設定されている。これにより、ケーブル５０に大きな引張り力や捩り力が作用した場合も、スリーブ内におけるセットスクリュー１７の倒れが生じにくくなり、セットスクリュー１７の緩みをさらに効果的に抑制することができる。なお、セットスクリュー１７の公称ねじ径ｑの上限値については、取付スリーブ１６に対する雌ねじ孔２０の形成が妨げられない範囲であれば特に制限はなく、例えばケーブル５０の外径よりも小さく設定することができる。
【００３６】
取付スリーブ１６にねじ込まれるセットスクリュー１７の数は、例えば図２３に示すように２つ（ないしそれ以上）としてもよいが、図１１のように１つとすることで、部品点数を削減でき、プラグ構造の単純化を図ることができる。食込凸部１８は、その少なくとも一部が、取付スリーブ１６の内周面に対するセットスクリュー１７の先端面の該セットスクリュー１７の軸線方向における投影領域と重なる位置に形成されている。これにより、上記セットスクリュー１７からの螺進圧縮力をセットスクリュー１７の先端面にてより確実に受け止めることができ、セットスクリュー１７と食込凸部１８との間でケーブル５０をより安定的に挟持できる。
【００３７】
本実施形態において、取付スリーブ１６の内周面に形成される食込凸部１８は、図１２〜図１４に示す如く、周方向に沿って形成される凸条部１８ａとされている。これにより、ケーブル５０の絶縁外皮５１に対する食込凸部１８の周方向の食込み長がより大きくなり、取付スリーブ１６に対するケーブル５０の滑り変位を抑制する効果をさらに高めることができる。また、食込凸部１８の絶縁外皮５１に対する食込み力が分散するので、食込凸部１８が絶縁外皮５１を貫通してしまう不具合も生じにくい。凸条部は、取付スリーブ１６の軸線方向に沿って内周面に複数列形成されており、上記の効果はより高められている。
【００３８】
具体的には、図１１に示すごとく、凸条部（食込凸部１８）は、取付スリーブ１６の内周面の全周に渡って形成されている（ただし、後述の切欠凹部１９の形成区間は除く）。このような凸条部は旋削加工により容易に形成できる利点がある。全周に渡る凸条部を取付スリーブ１６に複数列形成する場合、複数巻の凸条部を軸線方向に連ならせて螺旋状に形成すると、複数列の凸条部を連続的な旋削加工により形成でき、さらに効率的である。本実施形態では、螺旋状の凸条部が、半径方向内側に向かうほど狭幅となる雌ねじ部として形成されている。図１３は、図１１のＣ−Ｃ断面の一部を拡大して示すもので、雌ねじ部として形成された凸条部１８ａは、絶縁外皮５１に対するねじ山部分の食込み深さがより大きくなり、取付スリーブ１６に対するケーブル５０の滑り変位抑制効果がさらに高められる。なお、凸条部１８ａについて、絶縁外皮５１に食い込みつつ該絶縁外皮５１を介してシールド導体層５２，５３とは電気的に絶縁された構造としたい場合、図１３に示すように、凸条部１８ａの先端１８ｐは、面取りないしアールが施された形状とすることもできる。
【００３９】
図１１に戻り、ケーブル５０に強い捩りモーメントが作用する場合、ケーブル５０の絶縁外皮５１が取付スリーブ１６の周方向に沿って滑り変位して、セットスクリュー１７の緩みが生じやすくなることがある。特に、上記のごとく、取付スリーブ１６の内周面の全周にわたって凸条部（食込凸部１８）を形成した場合、ケーブル５０に強い捩りモーメントが作用すると、ケーブル５０の絶縁外皮５１がスリーブ周方向、すなわち凸条部の長手方向に沿って滑り変位しやすくなる場合があり得る。そこで、本実施形態では、凸条部（食込凸部１８）が絶縁外皮５１に食い込んだ状態にて周方向に相対的に滑り変位することを阻止するための滑り変位阻止部が設けられている。
【００４０】
具体的には、滑り変位阻止部は、図８に示すように、凸条部（食込凸部１８）を周方向の中間位置にて一部切欠いて形成される切欠凹部１９とされている。図１２及び図１３に示すように、切欠凹部１９には、ケーブル５０の絶縁外皮５１が半径方向外向きに圧入されて絶縁外皮圧入部５１ａが形成される。特に、図１２に示すように、絶縁外皮圧入部５１ａに対し凸条部１８ａの切欠き端１８ｓが当接することにより、取付スリーブ１６に対するケーブル５０の周方向の相対滑り変位が効果的に阻止される。なお、図１４に示すように、取付スリーブ１６の内周面にて切欠凹部１９が形成されていない区間では、複数列の凸条部１８ａの全てが絶縁外皮５１に対し食込みを生じている。
【００４１】
切欠凹部１９は、取付スリーブ１６の周壁部を半径方向に貫通する切欠き貫通孔として形成されている。これにより、深い切欠凹部１９を切欠き貫通孔の形で、取付スリーブ１６の外周面側からの切削加工により容易に形成でき、これに食い込み形成される絶縁外皮圧入部５１ａの形成高さも大きくできるので、上記相対滑り変位の抑制効果をより高めることができる。
【００４２】
図８に示すように、切欠凹部１９は、軸線方向に複数列形成された凸条部の２以上のものにまたがって形成されている。これにより、図１３に示すように、絶縁外皮圧入部５１ａもまた凸条部の２以上のものにまたがって形成され、取付スリーブ１６に対するケーブル５０の周方向の相対滑り変位をさらに効果的に抑制できる。特に、凸条部が上記雌ねじ部のごとく螺旋状に形成される場合、螺旋状の凸条部からケーブル５０に対し軸線方向の螺進力が生じ、セットスクリュー１７もまた該軸線方向に強い倒れ変位力を受けて、緩みがより生じやすくなる場合がある。よって、上記の切欠凹部１９の形成により、取付スリーブ１６に対するケーブル５０の周方向の相対滑り変位を抑制することは、特に有効であるといえる。
【００４３】
図１１においては、取付スリーブ１６にねじ込まれるセットスクリュー１７の数が１つのみであり、切欠凹部１９は、取付スリーブ１６の内周面に対するセットスクリュー１７の先端面の、該セットスクリュー１７の軸線方向における投影領域と重なる位置に形成されている。これにより、切欠凹部１９への絶縁外皮５１の食込み力を高めることができ、絶縁外皮圧入部５１ａをより顕著に形成することが可能となっている。
【００４４】
ケーブル５０のプラグ１に対する組付工程は以下の通りである。すなわち、図９のごとくストリッピングを施したケーブル５０の先端部を、図１５の工程１のごとく、セットスクリュー１７を取り外した（あるいは、退避させた）状態で、プラグ１の取付スリーブ１６の内側に挿通し、工程２のごとく、図１０により説明した半田付け部５６〜５８を形成してプラグ１とケーブル５０の電気的接続を行なう。続いて、図１６の工程３のごとく、セットスクリュー１７を取付スリーブ１６の雌ねじ孔２０に装着し、工程４のごとく、工具係合孔１７ｂに六角レンチ等の工具（図示せず）を係合させて締め込むことにとり、組付けが完了する。
【００４５】
以上、本発明の電子撥弦楽器用プラグの実施の形態について説明したが、本発明はこれらに限定されない。以下、本発明の種々の変形例について、図１７〜図２７により説明する（上記の実施形態と概念的に共通する部分には、同一の符号を付与して詳細な説明は略する）。図１７は、取付スリーブ１６に形成する複数列の凸条部（食込凸部）を螺旋状に一体化せず、周方向に円環形態に閉じた凸条部７８ａを軸線方向に密接形成した例を示す。複数の凸条部７８ａが一体化されていないので、取付スリーブ１６の内周面切削によりこれを形成しようとした場合、凸条部７８ａを１周形成するごとに、旋削用バイトを取付スリーブ１６の内周面から内向きに退避させて取付スリーブ１６をピッチ送りし、次の凸条部７８ａを旋削するという工程となり、螺旋状の凸条部を形成する場合よりは加工工数を要する。しかし、ケーブルに捩り力が加わった場合に凸条部からの螺進反力が生じない構成となるので、セットスクリューの倒れはより生じにくくなる利点がある。
【００４６】
また、図７に示す構成では、取付スリーブ１６の内周面に対し、スリーブ軸線方向における全区間に渡って凸条部１８（食込凸部）を形成したが、凸条部はスリーブ軸線方向における一部区間にのみ形成するようにしてもよい。例えば、図２６は、取付スリーブ１６の内周面に対し、スリーブ軸線方向における第一端側（図面下側）から中間位置までの区間に凸条部１８を形成した例である。図１８は、円環状の凸条部７８ａをスリーブ軸線方向において所定の間隔をおいて形成した例を示す。図１９は、円環状の凸条部７８ａを取付スリーブ１６の内周面に１列のみ、具体的にはスリーブ軸線方向における第一端側（図面下側）にのみ形成した例を示す。図２７は、円環状の凸条部７８ａを取付スリーブ１６の内周面に２列、具体的にはスリーブ軸線方向における第一端側（図面下側）と第二端側（図面上側）に形成した例を示す。
【００４７】
セットスクリュー１７による螺進圧縮力を複数の凸条部により均等に受け止める観点においては、図７のごとく、取付スリーブ１６の内周面に対し凸条部１８をスリーブ軸線方向において、セットスクリューの軸線Ｓに関し、両側に振り分けて形成することが望ましい。このようにすることで、特定の凸条部に過度の食込力が作用し、絶縁外皮５１が切断されてしまう不具合を生じにくくすることができる。同様の効果は、図１７、図１８、図２２及び図２７の構成においても達成することができる。
【００４８】
また、図２０においては食込凸部８８が、取付スリーブ１６の周方向に沿って断続的に配置される複数の食込突起８８ａの集合として形成されている。このような食込凸部８８は、取付スリーブ１６の軸線方向にて１列のみ設けてもよいし、複数列設けてもよい。図２０の右側に拡大して示すように、食込突起８８ａは角錐（台）状や円錐（台）状に形成できる。また、図２１は、そのような食込突起８８ａを、周方向において間隔を置いて形成した例である。なお、図２０及び図２１の構成においては、周方向に隣接する食込突起８８ａ，８８ａ間の空隙も滑り変位阻止部として機能する。
【００４９】
図２０及び図２１のような食込凸部８８は、旋削による形成は困難であるが、ロストワックス法などの鋳造や、ＭＩＭ（Metal Injection Mold）法を用いた焼結法等により製造が可能である。
【００５０】
図２２は、滑り変位阻止部を貫通孔ではなく、凸条部（食込凸部）のみを切欠く形で有底の溝部７９として形成した例を示す。図２３は、前述のごとく、セットスクリュー１７を複数本設ける場合の実施形態を示すものである。
【００５１】
また、図２４は、図１１の態様から切欠凹部１９を省略した構成を示すものである。ケーブル５０に対する負荷が、引張力が中心であり、捩り力が比較的かかりにくい環境下で使用される場合は、本構成によっても、セットスクリュー１７の緩みを十分に抑制することができる。また、図２５は、図２１の態様から切欠凹部１９を省略した構成を示すものである。本構成では、周方向に隣接する食込突起８８ａ，８８ａ間の空隙が滑り変位阻止部として機能するので、ケーブル５０に対し捩り力がかかりやすい環境下でもセットスクリュー１７の緩みが生じにくくなる利点が生ずる。
【符号の説明】
【００５２】
１  電子撥弦楽器用プラグ
２  プラグ本体
３  主金具
３ｂ  芯線挿入孔
３ｃ  係合凹部
３ｆ  フランジ部
３ｔ  先端部
４  接地金具
４ｃ  座ぐり部
４ｓ  ステム部
５  プラグ側絶縁層
５ｆ  絶縁フランジ
６  絶縁リング（例えばベークライト等の耐熱樹脂製）
１０  端子金具
１０ａ  半田受け部
１１  コネクタ
１２  ストッパフランジ
１３  雄ねじ部
１４  連結導体
１５  半田付け面
１６  取付スリーブ
１７  セットスクリュー
１７ａ  凹部
１７ｂ  工具係合孔
１８  食込凸部
１８ａ  凸条部
１８ｓ  切欠き端
１９  切欠凹部
２０  雌ネジ孔
３０  プラグカバー
３１  雌ねじ部
５０  ケーブル
５１  絶縁外皮
５１ａ  絶縁外皮圧入部
５１ｃ  凹部
５２，５３  シールド導体層
５４  中間絶縁層
５５  芯線
５６〜５８  半田付け部
７８ａ  凸条部
７９  溝部
８８  食込凸部
８８ａ  食込突起
１００  エレキギター
１０１  楽器側ジャック
１１０  アンプ
２００  ケーブル
【要約】
【課題】プラグ側のスリーブにケーブルを差し込んでセットスクリューにより固定する構造を有するとともに、より大きな引張り力が作用した場合においても、ケーブルがスリーブに対し滑り変位を起こしにくい構造の電子撥弦楽器用プラグを提供する。
【解決手段】プラグ側の取付スリーブの内周面に、ケーブルを介してセットスクリューの螺進圧縮力を受け止めつつ絶縁外皮に食い込む食込凸部を、スリーブ内周面の周方向に沿って一体不可分に形成する。プラグ側の取付スリーブの内周面に形成された食込凸部が、ケーブルの絶縁外皮に食い込むので、ケーブルに対し、より強い引張り力が加わった場合も、ケーブルのスリーブ内面に対する滑り変位が食込凸部により阻止され、セットスクリューの緩みを効果的に抑制することができる。
【選択図】  図１１【図１】
0006869570.tif 000002
【図２】
0006869570.tif 000003
【図３】
0006869570.tif 000004
【図４】
0006869570.tif 000005
【図５】
0006869570.tif 000006
【図６】
0006869570.tif 000007
【図７】
0006869570.tif 000008
【図８】
0006869570.tif 000009
【図９】
0006869570.tif 000010
【図１０】
0006869570.tif 000011
【図１１】
0006869570.tif 000012
【図１２】
0006869570.tif 000013
【図１３】
0006869570.tif 000014
【図１４】
0006869570.tif 000015
【図１５】
0006869570.tif 000016
【図１６】
0006869570.tif 000017
【図１７】
0006869570.tif 000018
【図１８】
0006869570.tif 000019
【図１９】
0006869570.tif 000020
【図２０】
0006869570.tif 000021
【図２１】
0006869570.tif 000022
【図２２】
0006869570.tif 000023
【図２３】
0006869570.tif 000024
【図２４】
0006869570.tif 000025
【図２５】
0006869570.tif 000026
【図２６】
0006869570.tif 000027
【図２７】
0006869570.tif 000028
【図２８】
0006869570.tif 000029